(57)【要約】【課題】火災管制運転機能でかごが避難階に停止している時でも、個人認証結果に基づき避難運転を行うようにしたエレベータ運転システムを提供する。【解決手段】火災時運転制御部１０として、外部からの火災情報により火災発生と判定した時にかごを避難階まで走行させて乗客を非難させる火災管制運転の制御を行う火災管制運転制御部１１を含むエレベータ運行制御装置を備えたエレベータ運転システムであって、避難階以外の少なくとも１つの階の乗場にエレベータ運行制御装置に接続された個人認証装置群４が設置され、火災時運転制御部１０が、火災管制運転制御中に、避難階でかごが戸開して乗客を降ろした状態で停止している時に、利用者の操作による個人認証装置からの入力による個人認証が成立した時に、該個人認証装置が設置された階へかごを配車して利用者を避難階へ送る避難運転の制御を行う避難運転制御部１２を含む。【選択図】図１
2008056402.tif 000002
【特許請求の範囲】
【請求項１】
火災時運転制御部として、外部からの火災情報により火災発生と判定した時にかごを避難階まで走行させて乗客を非難させる火災管制運転の制御を行う火災管制運転制御部を含むエレベータ運行制御装置を備えたエレベータ運転システムであって、
前記避難階以外の少なくとも１つの階の乗場に前記エレベータ運行制御装置に接続された個人認証装置が設置され、
前記エレベータ運行制御装置の火災時運転制御部が、
前記火災管制運転制御中に、前記避難階でかごが戸開して乗客を降ろした状態で停止している時に、利用者の操作による前記個人認証装置からの入力による個人認証が成立した時に、該個人認証装置が設置された階へかごを配車して利用者を避難階へ送る避難運転の制御を行う避難運転制御部を含む、
ことを特徴とするエレベータ運転システム。
【請求項２】
火災時運転制御部として、外部からの火災情報により火災発生と判定した時に、かごを避難階まで走行させて乗客を非難させる火災管制運転の制御を行う火災管制運転制御部を含むエレベータ運行制御装置を備えたエレベータ運転システムであって、
かご内又は前記避難階の乗場に前記エレベータ運行制御装置に接続された個人認証装置が設置され、
前記エレベータ運行制御装置の火災時運転制御部が、
前記火災管制運転制御中に、前記避難階でかごが戸開して乗客を降ろした状態で停止している時に、利用者の操作による前記個人認証装置からの入力による個人認証が成立した時に、その後に登録されたかご呼びによる指定階へかごを配車して該指定階にいる利用者を避難階へ送る避難運転の制御を行う避難運転制御部を含む、
ことを特徴とするエレベータ運転システム。
【請求項３】
前記避難階以外の少なくとも１つの階の乗場に前記エレベータ運行制御装置に接続された個人認証装置が設置され、
前記避難運転制御部が、前記火災管制運転時に、前記避難階でかごが戸開して乗客を降ろした状態で停止中に、利用者の操作による前記避難階以外の少なくとも１つの階の乗場に設置された前記個人認証装置からの入力による個人認証が成立した時に、該個人認証装置が設置された階へかごを配車して該利用者を避難階へ送る避難運転の制御も行うことを特徴とする請求項２に記載のエレベータ運転システム。
【請求項４】
前記避難階が予め設定されていることを特徴とする請求項１から３までのいずれか１項に記載のエレベータ運転システム。
【請求項５】
前記火災時運転制御部が、外部からの火災情報に基づき前記避難階を設定する避難階設定部をさらに含むことを特徴とする請求項１から３までのいずれか１項に記載のエレベータ運転システム。
【請求項６】
前記個人認証装置が、有接触カード又は非接触カードから個人認証コードを読み取るカードリーダ、又は利用者の生体認証情報を読み取る生体認証情報読取り装置からなることを特徴とする請求項１から５までのいずれか１項に記載のエレベータ運転システム。
【発明の詳細な説明】
【技術分野】
【０００１】
この発明は、エレベータ運転システム、特に火災発生時にかごを避難階まで運転して停止させ乗客を避難させたり、エレベータの使用を禁止して二次災害を防ぐようにした火災管制運転機能を備えたものに関する。
【背景技術】
【０００２】
従来、この種のエレベータ運転システムとして、火災が発生すると火災管制運転となり、かごを最寄階で停止させた後、避難階へ走行させ、その後、火災発生情報及びビル設備状況情報に基づき避難運転の可否判断を行い、可能であれば避難運転のための乗場呼び登録に従って避難運転を行うものがあった(例えば特許文献１参照)。
【０００３】
【特許文献１】特開２００５−１８７１６２号公報
【発明の開示】
【発明が解決しようとする課題】
【０００４】
従来、火災管制運転機能を備えたエレベータ運転システムでは、火災管制運転機能により、火災が発生すると、直ちに火災管制運転となり、避難階へ走行し、以後、運転は停止するため、その後はエレベータを避難に用いることができなかった。そのため、階段通路を利用することのできない車椅子利用者など、歩行困難な人々にとってはビル内で救助を待つほかなかった。また、たとえ階段通路を利用して避難することが可能であったとしても、避難に時間がかかってしまっていた。そこで例えば上述のように、火災発生情報の火災場所の情報やビル設備状況情報のエレベータとその関連機器の状況情報に基づき避難運転が可能と判断された時に、避難運転を行うものがあった。
【０００５】
この発明では特に、エレベータ運転システムに予め個人認証情報を登録した特定の利用者に対し、火災管制運転機能でかごが避難階に停止している時でも、個人認証結果に基づき避難運転を行うようにしたエレベータ運転システムを提供することを目的とする。
【課題を解決するための手段】
【０００６】
上記の目的に鑑み、この発明は、火災時運転制御部として、外部からの火災情報により火災発生と判定した時にかごを避難階まで走行させて乗客を非難させる火災管制運転の制御を行う火災管制運転制御部を含むエレベータ運行制御装置を備えたエレベータ運転システムであって、前記避難階以外の少なくとも１つの階の乗場に前記エレベータ運行制御装置に接続された個人認証装置が設置され、前記エレベータ運行制御装置の火災時運転制御部が、前記火災管制運転制御中に、前記避難階でかごが戸開して乗客を降ろした状態で停止している時に、利用者の操作による前記個人認証装置からの入力による個人認証が成立した時に、該個人認証装置が設置された階へかごを配車して利用者を避難階へ送る避難運転の制御を行う避難運転制御部を含む、ことを特徴とするエレベータ運転システムにある。
【発明の効果】
【０００７】
この発明では、エレベータ運転システムに予め個人認証情報を登録した特定の利用者に限り、火災管制運転機能でかごが避難階に停止している時でも、個人認証結果に基づき避難運転の提供を受けられるようにした。
【発明を実施するための最良の形態】
【０００８】
図１はこの発明によるエレベータ運転システムの特に火災時運転制御に関する部分の構成を示す図である。例えば制御盤等に設けられたコンピュータを含むエレベータ運行制御装置１はエレベータの運行制御を行い、通常のかご呼びや乗場呼びに従ってかごを走行させる通常時運転制御を行う通常時運転制御部(図示せず)と共に、火災時の運転制御を行う火災時運転制御部１０を含む。
【０００９】
この火災時運転制御部１０は、外部からの火災情報すなわち後述する火災発生検知部２からの火災情報により火災発生と判定した時にかごを避難階まで走行させて乗客を非難させる火災管制運転の制御を行う火災管制運転制御部１１、この火災管制運転制御中に、避難階でかごが戸開して乗客を降ろした状態で停止している時に、利用者の操作による後述する個人認証装置からの入力による個人認証が成立した時に、避難運転の制御を行う避難運転制御部１２を含み、また避難階設定部１３を含み得る。火災時運転制御部１０はさらに、火災時運転制御のための各種データを記憶するための記憶部１４を含むが、この記憶部１４はエレベータ運行制御装置１全体の記憶部(図示せず)に含まれるように構成されていてもよい。そして避難運転制御部１２は、避難運転開始判断部１２ａ，避難運転実施部１２ｂ及び避難運転終了判断部１２ｃを含む。
【００１０】
エレベータ運行制御装置１には、火災発生検知部２、各種エレベータ制御用機器部３、個人認証装置群４が接続されている。火災発生検知部２は、火災発生時に火災発生や火災発生場所(火災発生階)に関する火災発生情報を発生する煙感知器、温度センサ、火災報知器、ビル管理者が操作する管理者用スイッチ、及びエレベータが設置されたビル内およびエレベータ関連の電力系統の状況や、上下水道設備状況、防火ドアやスプリンクラー等の防火設備の稼動状況等のビル設備状況情報を発生する各種センサ(共に図示省略)を含み、火災発生情報及びビル設備状況情報を含む火災情報を出力する。
【００１１】
各種エレベータ制御用機器部３は、エレベータのかごを運行させるために必要な、各乗場及びかご内の操作盤(乗場呼び釦、かご呼び釦(行き先階釦)、かご内の戸開閉釦等含む)、かごかご位置センサ、かごや乗場の戸開閉センサ、かご内の乗客の有無を検出するための秤装置等(共に図示省略)を含む。
【００１２】
個人認証装置群４は、予め本エレベータ運転システムに登録されている利用者が避難運転を要求する際に個人認証を行うために、乗場やかご内に設けられた個人認証装置(図示せず)からなる。
【００１３】
実施の形態１．
図２はこの発明の実施の形態１によるエレベータ運転システムの火災時運転制御部１０の避難運転制御部１２での動作を概略的に示すフローチャートである。この実施の形態１では、火災時運転制御部１０の記憶部１４には、少なくとも火災管制運転及び避難運転における予め定められた避難階、及び火災管制運転中に避難運転の要求を行うことが認められた各利用者の個人認証情報(個人認証コード又は生体認証情報等)が格納されている。また個人認証装置群４の個人認証装置は、上記避難階以外の少なくとも１つの階の乗場に設置され(できるだけ多くの階に設置されていることが望ましい)、それぞれにエレベータ運行制御装置１に接続されている。
【００１４】
以下、図２に従って動作を説明すると、火災管制運転時(Ｓ１１)、かごが避難階へ到着し、戸開後、秤装置等で乗客がすべてかごから降りたことが確認された後(Ｓ１２)、避難階以外に設置された個人認証装置において、利用者の操作により個人認証情報が入力され、記憶部１４を検索して格納されている個人認証情報と一致し、個人認証が成立した場合に(Ｓ１３)、戸閉した後、個人認証が成立した個人認証装置が設置された階へかごを配車(直行)して(Ｓ１４)、戸開後、利用者すなわち乗客がかごに乗り込み、戸閉釦を押したら戸閉して、避難階へ走行(直行)し、戸開後、乗客を降ろす(Ｓ１５)。そして例えば火災発生検知部２のビル管理者が操作する管理者用スイッチからの信号により火災管制運転が解除されると(Ｓ１６)、通常運転へ復帰する。上記動作において、避難運転モード中(Ｓ１３〜Ｓ１６)、火災管制運転が解除されるまで、この動作は繰り返される。また、個人認証が不成立の場合には、火災管制運転のままである。
【００１５】
なお、火災管制運転中に、かごが避難階へ到着し、戸開して乗客がすべてかごから降りた状態で、個人認証情報が入力されて個人認証を行い、避難運転の開始を判断する処理は避難運転制御部１２の避難運転開始判断部１２ａ、火災管制運転が解除されて避難運転の終了を判断する処理は避難運転終了判断部１２ｃ、これらの間の避難運転実施の処理は避難運転実施部１２ｂで行われる。
【００１６】
このようにして、火災管制運転時であっても、認証によって特定の利用者のためにエレベータを運行させて、該利用者を避難階へ避難させることができる。
【００１７】
実施の形態２．
図３はこの発明の実施の形態２によるエレベータ運転システムの火災時運転制御部１０の避難運転制御部１２での動作を概略的に示すフローチャートである。上記実施の形態と同一もしくは相当部分は同一符号で示す。なお、エレベータ運転システムの構成は基本的に図１のものと同じであるが、この実施の形態では、個人認証装置群４の個人認証装置は、かご内又は避難階の乗場に設置され、エレベータ運行制御装置１に接続されている。
【００１８】
以下、図３に従って動作を説明すると、火災管制運転時(Ｓ１１)、かごが避難階へ到着し、戸開後、秤装置等で乗客がすべてかごから降りたことが確認された後(Ｓ１２)、かご内又は避難階の乗場に設置された個人認証装置において、利用者の操作により個人認証情報が入力され、記憶部１４を検索して格納されている個人認証情報と一致し、個人認証が成立した場合にかご呼び登録が可能となり(Ｓ２１)、かご内からのかご呼び登録があると戸閉した後、かご呼び登録がなされた指定階へかごを配車(直行)して(Ｓ２２)、戸開後、利用者すなわち乗客がかごに乗り込み、戸閉釦を押したら戸閉して、避難階へ走行(直行)し、戸開後、乗客を降ろす(Ｓ２３)。そして例えば火災発生検知部２のビル管理者が操作する管理者用スイッチからの信号により火災管制運転が解除されると(Ｓ１６)、通常運転へ復帰する。上記動作において、避難運転モード中(Ｓ２１〜Ｓ２３)、火災管制運転が解除されるまで、この動作は繰り返される。また、個人認証が不成立の場合には、火災管制運転のままである。
【００１９】
なお、火災管制運転中に、かごが避難階へ到着し、戸開して乗客がすべてかごから降りた状態で、個人認証情報が入力されて個人認証を行い、避難運転の開始を判断する処理は避難運転制御部１２の避難運転開始判断部１２ａ、火災管制運転が解除されて避難運転の終了を判断する処理は避難運転終了判断部１２ｃ、これらの間の避難運転実施の処理は避難運転実施部１２ｂで行われる。
【００２０】
このようにして、火災管制運転時であっても、認証によって特定の利用者が所望の階へエレベータを差し向け、該階の利用者(乗客)のためにエレベータを運行させて、避難階へ避難させることができる。
【００２１】
実施の形態３．
図４はこの発明の実施の形態３によるエレベータ運転システムの火災時運転制御部１０の避難運転制御部１２での動作を概略的に示すフローチャートである。この実施の形態３は上記実施の形態１，２を組み合わせたものである。上記実施の形態と同一もしくは相当部分は同一符号で示す。なお、エレベータ運転システムの構成は基本的に図１のものと同じであるが、この実施の形態では、個人認証装置群４の個人認証装置は、上記避難階以外の少なくとも１つの階の乗場、及びかご内又は避難階の乗場に設置され、エレベータ運行制御装置１に接続されている。
【００２２】
以下、図３に従って動作を説明すると、火災管制運転時(Ｓ１１)、かごが避難階へ到着し、戸開後、秤装置等で乗客がすべてかごから降りたことが確認された後(Ｓ１２)、避難階以外に設置された個人認証装置において、利用者の操作により個人認証情報が入力され、記憶部１４を検索して格納されている個人認証情報と一致し、個人認証が成立した場合に(Ｓ１３)、戸閉した後、個人認証が成立した個人認証装置が設置された階へかごを配車(直行)して(Ｓ１４)、戸開後、利用者すなわち乗客がかごに乗り込み、戸閉釦を押したら戸閉して、避難階へ走行(直行)し、戸開後、乗客を降ろす(Ｓ１５)。
【００２３】
またかごが避難階にあり、戸開して乗客がすべてかごから降りた状態で(Ｓ１２)、かご内又は避難階の乗場に設置された個人認証装置において、利用者の操作により個人認証情報が入力され、記憶部１４を検索して格納されている個人認証情報と一致し、個人認証が成立した場合にかご呼び登録が可能となり(Ｓ２１)、かご内からのかご呼び登録があると戸閉した後、かご呼び登録がなされた指定階へかごを配車(直行)して(Ｓ２２)、戸開後、利用者すなわち乗客がかごに乗り込み、戸閉釦を押したら戸閉して、避難階へ走行(直行)し、戸開後、乗客を降ろす(Ｓ２３)。
【００２４】
そして例えば火災発生検知部２のビル管理者が操作する管理者用スイッチからの信号により火災管制運転が解除されると(Ｓ１６)、通常運転へ復帰する。上記動作において、避難運転モード中(Ｓ１３〜Ｓ１６、Ｓ２１〜Ｓ２３)、火災管制運転が解除されるまで、これらの動作は繰り返される。また、個人認証が不成立の場合には、火災管制運転のままである。
【００２５】
なお、火災管制運転中に、かごが避難階へ到着し、戸開して乗客がすべてかごから降りた状態で、個人認証情報が入力されて個人認証を行い、避難運転の開始を判断する処理は避難運転制御部１２の避難運転開始判断部１２ａ、火災管制運転が解除されて避難運転の終了を判断する処理は避難運転終了判断部１２ｃ、これらの間の避難運転実施の処理は避難運転実施部１２ｂで行われる。
【００２６】
このようにして、火災管制運転時であっても、認証によって特定の利用者のためにエレベータを運行させて、該利用者を避難階へ避難させることができると共に、同時に認証によって特定の利用者が所望の階へエレベータを差し向け、該階の利用者(乗客)のためにエレベータを運行させて、避難階へ避難させることができる。
【００２７】
なお上記各実施の形態では、避難階は予め設定され記憶部に格納されたいたが、火災時運転制御部１０の避難階設定部１３が、火災発生時に火災発生や火災発生場所(火災発生階)に関する火災発生情報を発生する煙感知器、温度センサ、火災報知器、ビル管理者が操作する管理者用スイッチ、及びエレベータが設置されたビル内およびエレベータ関連の電力系統の状況や、上下水道設備状況、防火ドアやスプリンクラー等の防火設備の稼動状況等のビル設備状況情報を発生する各種センサ(共に図示省略)を含む火災発生検知部２からの、火災発生情報及びビル設備状況情報を含む火災情報に基づいて避難階を設定して、記憶部１４に設定するようにしてもよい。例えば、避難階を、火災発生階の所定階(２階)以上下階又は火災発生階の所定階(５階)以上上階のビルの外への避難通路のある階で、火災発生階の下階を優先し、またその中で玄関階や屋上階を最優先する等とする。
【００２８】
また個人認証装置は、有接触カード又は非接触カードから個人認証コードを読み取るカードリーダ、又は利用者の生体認証情報を読み取る生体認証情報読取り装置等からなるものとする。
【図面の簡単な説明】
【００２９】
【図１】この発明によるエレベータ運転システムの特に火災時運転制御に関する部分の構成を示す図である。
【図２】この発明の実施の形態１によるエレベータ運転システムの火災時運転制御部の避難運転制御部での動作を概略的に示すフローチャートである。
【図３】この発明の実施の形態２によるエレベータ運転システムの火災時運転制御部の避難運転制御部での動作を概略的に示すフローチャートである。
【図４】この発明の実施の形態３によるエレベータ運転システムの火災時運転制御部の避難運転制御部での動作を概略的に示すフローチャートである。
【符号の説明】
【００３０】
１  エレベータ運行制御装置、２  火災発生検知部、３  各種エレベータ制御用機器部、４  個人認証装置群、１０  火災時運転制御部、１１  火災管制運転制御部、１２  避難運転制御部、１２ａ  避難運転開始判断部、１２ｂ  避難運転実施部、１２ｃ  避難運転終了判断部、１３  避難階設定部、１４  記憶部。
【図１】
2008056402.tif 000003
【図２】
2008056402.tif 000004
【図３】
2008056402.tif 000005
【図４】
2008056402.tif 000006